(57)【要約】【課題】  イヤホンから大きな音圧を出力しても電源電圧が低下せず、補聴器としての機能低下が生じない耳かけ形補聴器を提供する。【解決手段】  イヤホン駆動用の第１電池２１と、電気回路駆動用の第２電池１２を備え、第１電池２１は、外耳道に装着される耳穴形筐体４の中にイヤホン３０と共に配置され、第２電池１２は、補聴器本体２にマイクロホン１０とＤＳＰ１１と共に配置される。第２電池１２は、充電式電池であり、第１電池２１または第２電池１２のいずれか一方が、電圧低下しても、他方の電池が一方の電池の分まで電力を供給する。【選択図】        図２
2008177920.tif 000002
【特許請求の範囲】
【請求項１】
イヤホン駆動用の第１電池と、電気回路駆動用の第２電池を備えたことを特徴とする耳かけ形補聴器。
【請求項２】
前記第１電池は、外耳道に装着される耳穴形筐体の中にイヤホンと共に配置され、前記第２電池は、補聴器本体にマイクロホンと電気回路と共に配置される請求項１記載の耳かけ形補聴器。
【請求項３】
前記第２電池は、充電式電池である請求項１又は２記載の耳かけ形補聴器。
【請求項４】
前記第１電池または前記第２電池のいずれか一方が、電圧低下しても、他方の電池が一方の電池の分まで電力を供給する請求項１、２又は３記載の耳かけ形補聴器。
【請求項５】
前記第１電池を保持する電池ホルダに、前記電気回路と電気的に接続するケーブルを設けると共に、このケーブルと前記イヤホンを電気的に接続するコネクタを設ける請求項２、３又は４記載の耳かけ形補聴器。
【発明の詳細な説明】
【技術分野】
【０００１】
本発明は、イヤホンが耳せん内部に設置された耳かけ形補聴器に関する。
【背景技術】
【０００２】
耳かけ形補聴器には、イヤホンを補聴器本体に設置するタイプと、耳せん内部に設置してケーブルで補聴器本体と接続するタイプがある。そして、従来の補聴器は、空気亜鉛ボタン電池１つで動作させている。従って、大きな音圧を出力する高出力タイプの補聴器には、容量の大きな空気亜鉛ボタン電池が使用されている（例えば、特許文献１参照）。
【０００３】
【特許文献１】特開平９−２１５０９８号公報
【発明の開示】
【発明が解決しようとする課題】
【０００４】
しかし、大きな音圧を出力する際、イヤホンから出力される音が途切れる場合がある。これは電池の性能によるもので、大きな電流を流し続けることができなかったり、大きな電流を流した後で容量を回復するまでに時間がかかったりするためである。このため、電池の出力電圧が電気回路の駆動電圧を下回る場合、イヤホンから音が出なくなるか、若しくは音が小さくなってしまう。また、電気回路にＤＳＰ（Digital Signal Processor）を使用している場合には、シャットダウンする可能性もある。更に、高出力用の空気亜鉛ボタン電池でも限界がある。また、空気亜鉛ボタン電池や乾電池を複数使用することも考えられるが、補聴器本体が大きくなって、装用感や外観が悪くなり実用に適さない。
【０００５】
本発明は、従来の技術が有するこのような問題点に鑑みてなされたものであり、その目的とするところは、イヤホンから大きな音圧を出力しても電源電圧が低下せず、補聴器としての機能低下が生じない耳かけ形補聴器を提供しようとするものである。
【課題を解決するための手段】
【０００６】
上記課題を解決すべく請求項１に係る発明は、イヤホン駆動用の第１電池と、電気回路駆動用の第２電池を備えたものである。
【０００７】
請求項２に係る発明は、請求項１記載の耳かけ形補聴器において、前記第１電池を、外耳道に装着される耳穴形筐体の中にイヤホンと共に配置し、前記第２電池を、補聴器本体にマイクロホンと電気回路と共に配置した。
【０００８】
請求項３に係る発明は、請求項１又は２記載の耳かけ形補聴器において、前記第２電池を、充電式電池とした。
【０００９】
請求項４に係る発明は、請求項１、２又は３記載の耳かけ形補聴器において、前記第１電池または前記第２電池のいずれか一方が、電圧低下しても、他方の電池が一方の電池の分まで電力を供給するようにした。
【００１０】
請求項５に係る発明は、請求項２、３又は４記載の耳かけ形補聴器において、前記第１電池を保持する電池ホルダに、前記電気回路と電気的に接続するケーブルを設けると共に、このケーブルと前記イヤホンを電気的に接続するコネクタを設けた。
【発明の効果】
【００１１】
請求項１に係る発明によれば、イヤホンから大きな音圧を出力しても、電気回路に供給される電力に影響を及ぼさないので、音が途切れたり、音が小さくなったりすることがなくなる。
【００１２】
請求項２に係る発明によれば、耳穴形筐体内にイヤホンと第１電池を配置するので、補聴器本体の大きさを変える必要がなく、装用感及び外観を損なうことがない。
【００１３】
請求項３に係る発明によれば、電気回路の消費電力は小さいので、充電式電池を採用することにより電池交換の手間が省ける。
【００１４】
請求項４に係る発明によれば、どちらかの電池が切れても、しばらくの間正常に動作するので、急に聞こえなくなることがない。
【００１５】
請求項５に係る発明によれば、耳せんまたはイヤモールドの小型化が図れるので、装用時の見栄えがよくなる。
【発明を実施するための最良の形態】
【００１６】
以下に本発明の実施の形態を添付図面に基づいて説明する。ここで、図１は本発明に係る耳かけ形補聴器の概要斜視図、図２は全体構成図、図３は電気回路の構成図、図４は第１電池と電池ホルダ付きケーブルの斜視図、図５は他の耳穴形筐体の斜視図である。
【００１７】
本発明に係る耳かけ形補聴器１は、図１に示すように、補聴器本体２と、電池ホルダ付きケーブル３と、耳穴形筐体４からなる。５は通気孔である。また、補聴器本体２には、図２に示すように、マイクロホン１０と、ＤＳＰ（電気回路）１１と、第２電池としての充電式電池１２が配置されている。更に、補聴器本体２には、電池ホルダ付きケーブル３を接続する３端子１３ａ，１３ｂ，１３ｃのコネクタ（プラグ）１３が設けられている。端子１３ａはＤＳＰ１１で補聴処理した信号をイヤホンへ伝える端子、端子１３ｂは＋端子、１３ｃはグランド（ＧＮＤ）端子である。
【００１８】
ＤＳＰ１１は、図３に示すように、マイクロホン１０からの信号に対して所定の補聴処理をして耳穴形筐体４内に設置したイヤホンに出力する補聴処理部１５と、耳穴形筐体４内に設置した第１電池及び補聴器本体２に設置した充電式電池１２を管理する電源制御部１６から構成されている。電源制御部１６は、電源監視部１７と電源切替部１８からなる。そして、電源監視部１７では第１電池及び充電式電池１２の電圧を監視し、どちらか一方の電池の電圧が設定値より低くなった場合には、電源切替部１８が他方の電池で全体の電力を賄うよう電源供給ラインを切り替える。
【００１９】
電池ホルダ付きケーブル３は、図２と図４に示すように、第１電池として空気亜鉛ボタン電池２１を収納する電池ホルダ２２と、一端を電池ホルダ２２に接続すると共に他端を補聴器本体２に接続するケーブル２３からなる。電池ホルダ２２は電池交換が可能に形成されている。また、ケーブル２３の他端には、補聴器本体２に設けたコネクタ（プラグ）１３に差し込まれる３端子２４ａ，２４ｂ，２４ｃのコネクタ（レセプタクル）２４が取り付けられ、電池ホルダ２２にはケーブル２３とイヤホンを電気的に接続する３端子２５ａ，２５ｂ，２５ｃのコネクタ（プラグ）２５が設けられている。
【００２０】
図１に示す耳穴形筐体４は、装用者の耳型から形状を採取して、光造形法などにより作製される。耳穴形筐体４内には、図２に示すように、イヤホン３０と、空気亜鉛ボタン電池２１の電力を取り出すための電池接触端子（不図示）と、電池ホルダ取付部（不図示）が設けられている。電池ホルダ取付部には、コネクタ（プラグ）２５が差し込まれる３端子３１ａ，３１ｂ，３１ｃのコネクタ（レセプタクル）３１が設置されている。なお、耳かけ形補聴器１では、マイクロホン１０とイヤホン３０との距離が長く取れるので、ハウリングが起こり難いため、ベントは耳穴形補聴器に比べてその径を大きくすることができる。
【００２１】
また、図１に示す耳穴形筐体４の代わりに、図５（ａ）に示すように、既製の筐体３５に着脱自在な耳せん３６を取り付けた耳穴形筐体３７を用いることができる。更に、図５（ｂ）に示すように、耳せん３６の代わりに複数の貫通孔３８ａを設けた開放型耳せん３８を筐体３５に装着した耳穴形筐体３９を用いることもできる。
【００２２】
以上のように構成された本発明に係る耳かけ形補聴器１の動作について説明する。先ず、耳かけ形補聴器１の装用者は、定期的に充電式電池１２を充電しておく。大きな音圧をイヤホン３０から出力しても、イヤホン３０には第１電池としての空気亜鉛ボタン電池２１から電力が供給されるので、第２電池としての充電式電池１２からＤＳＰ１１に供給される電力は低下しない。また、第１電池としての空気亜鉛ボタン電池２１の電力が低下しても、第２電池としての充電式電池１２からイヤホン３０に電力が供給されるので、音が途切れることがない。
【００２３】
また、どちらかの電池の電圧が所定の値より下がった場合には、イヤホン３０から警告音を発することができる。更に、どちらかの電池が動作不能の電圧になった場合には、余力のある電池で補聴器本体２及びイヤホン３０に必要とされる電力を賄うことができる。
【産業上の利用可能性】
【００２４】
イヤホンから大きな音圧を出力しても、電気回路に供給される電力に影響を及ぼさないので、音が途切れたり、音が小さくなったりすることがない耳かけ形補聴器が提供され、補聴器の利用拡大が促進される。
【図面の簡単な説明】
【００２５】
【図１】本発明に係る耳かけ形補聴器の概要斜視図
【図２】全体構成図
【図３】電気回路の構成図
【図４】第１電池と電池ホルダ付きケーブルの斜視図
【図５】他の耳穴形筐体の斜視図で、（ａ）は通常の耳せんを用いた場合、（ｂ）は開放型耳せんを用いた場合
【符号の説明】
【００２６】
１…耳かけ形補聴器、２…補聴器本体、３…電池ホルダ付きケーブル、４，３７，３９…耳穴形筐体、１０…マイクロホン、１１…ＤＳＰ（電気回路）、１２…充電式電池（第２電池）、１３，３１…コネクタ、２１…空気亜鉛ボタン電池（第１電池）、３０…イヤホン。
【図１】
2008177920.tif 000003
【図２】
2008177920.tif 000004
【図３】
2008177920.tif 000005
【図４】
2008177920.tif 000006
【図５】
2008177920.tif 000007